(57)【要約】【課題】電源投入時、又はチャンネル選択時、又はエラー発生時に、映像音声出力開始時間を短縮できるデジタル放送受信機を提供する。【解決手段】デジタル放送を受信した際に入手した、特に分離部１０３と映像復号部１０４、音声復号部１０５に対する制御情報を蓄積する番組制御情報記憶部１０７と映像制御情報記憶部１０８、音声制御情報記憶部１０９および適切な制御情報を判定する制御情報選択部１１０を設ける。次回の電源投入時、又はチャンネル選択時、又はエラー発生時には、放送されている信号に含まれる制御情報を入手する前に、番組制御情報記憶部１０７、又は映像制御情報記憶部１０８、又は音声制御情報記憶部１０９に記憶している前回受信時の制御情報を制御情報選択部１１０にて取捨選択し、適切な制御情報を利用して初期化を実施することで、映像音声出力開始時間を短縮する。【選択図】図１
2011049627.tif 000002
【特許請求の範囲】
【請求項１】
受信したデジタル放送波から特定の番組の映像音声信号を復元するデジタル放送受信機であって、
受信したデジタル放送波から特定の番組制御情報を抽出し、前記番組制御情報に基づいて圧縮音声信号と圧縮映像信号に分離する分離部と、
前記分離部から出力された前記圧縮音声信号から音声制御情報を抽出し、前記音声制御情報に基づいて音声信号に復号する音声復号部と、
前記分離部から出力された前記圧縮映像信号から映像制御情報を抽出し、前記映像制御情報に基づいて映像信号に復号する映像復号部と、
前記番組制御情報を記憶する番組制御情報記憶手段と、
前記音声制御情報を記憶する音声制御情報記憶手段と、
前記映像制御情報を記憶する映像制御情報記憶手段と、
前記番組制御情報記憶手段、又は前記音声制御情報記憶手段、又は前記映像制御情報記憶手段にて記憶した制御情報の出現頻度を少なくとも計算し、前記出現頻度が高い前記制御情報を優先して残し、前記出現頻度が低い前記制御情報を優先して削除するよう前記制御情報の取捨選択を判定する制御情報選択手段と、
電源投入時、又はチャンネル選択時、又はエラー発生時に前記番組制御情報記憶手段、又は前記音声制御情報記憶手段、又は前記映像制御情報記憶手段にて記憶した前記制御情報を読み出して前記分離部、又は前記音声復号部、又は前記映像復号部に設定する設定手段とを備えたことを特徴とするデジタル放送受信機。
【請求項２】
前記音声復号部、又は前記映像復号部は、さらに前記音声制御情報記憶手段、又は前記映像制御情報記憶手段から読み出された前記制御情報によって復号範囲を限定することを特徴とする請求項１記載のデジタル放送受信機。
【請求項３】
前記復号範囲は、フレーム間予測を行わないものに限定することを特徴とする請求項２記載のデジタル放送受信機。
【請求項４】
前記音声復号部、又は前記映像復号部は、さらに前記制御情報の出現頻度によって前記制御情報をスキップ、又は特定の値に置き換えて復号することを特徴とする請求項１記載のデジタル放送受信機。
【請求項５】
前記制御情報選択手段は、さらに制御情報を取得した時刻を取捨選択判定に関連付けることを特徴とする請求項１記載のデジタル放送受信機。
【請求項６】
受信したデジタル放送波から特定の番組の映像音声信号を復元するデジタル放送受信機であって、
受信したデジタル放送波から特定の番組制御情報を抽出し、前記番組制御情報に基づいて圧縮音声信号と圧縮映像信号に分離する分離部と、
前記分離部から出力された前記圧縮音声信号から音声制御情報を抽出し、前記音声制御情報に基づいて音声信号に復号する音声復号部と、
前記分離部から出力された前記圧縮映像信号から映像制御情報を抽出し、前記映像制御情報に基づいて映像信号に復号する映像復号部と、
前記番組制御情報を記憶する番組制御情報記憶手段と、
前記音声制御情報を記憶する音声制御情報記憶手段と、
前記映像制御情報を記憶する映像制御情報記憶手段と、
前記番組制御情報記憶手段、又は前記音声制御情報記憶手段、又は前記映像制御情報記憶手段にて記憶する制御情報の取捨選択を外部から判定する制御情報選択手段と、
電源投入時、又はチャンネル選択時、又はエラー発生時に前記番組制御情報記憶手段、又は前記音声制御情報記憶手段、又は前記映像制御情報記憶手段にて記憶した前記制御情報を読み出して前記分離部、又は前記音声復号部、又は前記映像復号部に設定する設定手段とを備えたことを特徴とするデジタル放送受信機。
【請求項７】
前記情報選択手段は、番組、又はチャンネルにて一定の値を持つ制御情報を優先して取得することを特徴とする請求項６記載のデジタル放送受信機。
【請求項８】
前記情報選択手段は、ブロック単位にて値が設定される制御情報を優先して削除することを特徴とする請求項６記載のデジタル放送受信機。
【発明の詳細な説明】
【技術分野】
【０００１】
本発明は、電源投入時、又はチャンネル選択時、又はエラー発生時の映像音声出力時間を短縮する機能を具備したデジタル放送受信機に関するものである。
【背景技術】
【０００２】
近年、映像・音声等の放送メディアをデジタル化し、マルチメディアとして柔軟に扱うことが一般化している。それに伴い、これまでにアナログ技術で製品化されてきた様々な機器がデジタル化され、「デジタル家電」として、従来のアナログ機器をリプレースする大きな市場を作り出している。
【０００３】
中でも、デジタルテレビジョン放送の受信機は、全世帯のほぼ１００％に普及しているアナログテレビをリプレースするものと見られている。
【０００４】
ところで、マルチメディアを扱うデジタル家電では、同様な目的で利用されてきたアナログ機器と比較して、一般的に装置の起動やエラー発生後の復帰が遅くなる傾向がある。その理由は、マルチメディアとしてデジタル化されているデータが伝送効率や保存効率を考慮するために圧縮されていたり、複数種のデータを多重するために付加情報が追加されていたり、データの並び替えなどが行われていることがほとんどであり、アナログデータと異なり、その一部分を切り取っただけではデータの内容が確認できないためである。このようなデータをもとのデータへ復元するためには、ある程度のデータ量を蓄積し、復元するための鍵となる情報を準備する必要がある。
従来、このようなデジタル機器特有の問題を解決することを目的として、例えばデジタル放送の受信機の場合、復元時に得られる最新の情報を記憶し、次回の電源投入時に初期化設定値として利用することで起動時間を短縮する方法が示されている（例えば、特許文献１参照）。
【先行技術文献】
【特許文献】
【０００５】
【特許文献１】特開２００６−１５７５９５号公報
【発明の概要】
【発明が解決しようとする課題】
【０００６】
従来のデジタル放送受信機は、以上に説明したように、電源投入時、又はチャンネル選択時、又はエラー発生時の映像音声出力に非常に長い時間がかかってしまうという課題があった。
この発明は、上記のような課題を解決するためになされたものであり、電源投入時、又はチャンネル選択時、又はエラー発生時の映像音声出力開始時間を短縮したデジタル放送受信機を提供することを目的とする。
【課題を解決するための手段】
【０００７】
本発明の第１の態様は、受信したデジタル放送波から特定の番組の映像音声信号を復元するデジタル放送受信機であって、受信したデジタル放送波から特定の番組制御情報を抽出し、前記番組制御情報に基づいて圧縮音声信号と圧縮映像信号に分離する分離部と、前記分離部から出力された前記圧縮音声信号から音声制御情報を抽出し、前記音声制御情報に基づいて音声信号に復号する音声復号部と、前記分離部から出力された前記圧縮映像信号から映像制御情報を抽出し、前記映像制御情報に基づいて映像信号に復号する映像復号部と、前記番組制御情報を記憶する番組制御情報記憶手段と、前記音声制御情報を記憶する音声制御情報記憶手段と、前記映像制御情報を記憶する映像制御情報記憶手段と、前記番組制御情報記憶手段、又は前記音声制御情報記憶手段、又は前記映像制御情報記憶手段にて記憶した制御情報の出現頻度を少なくとも計算し、前記出現頻度が高い前記制御情報を優先して残し、前記出現頻度が低い前記制御情報を優先して削除するよう前記制御情報の取捨選択を判定する制御情報選択手段と、電源投入時、又はチャンネル選択時、又はエラー発生時に前記番組制御情報記憶手段、又は前記音声制御情報記憶手段、又は前記映像制御情報記憶手段にて記憶した前記制御情報を読み出して前記分離部、又は前記音声復号部、又は前記映像復号部に設定する設定手段とを備えたことを特徴とする。
本発明の第２の態様は、第１の態様において、前記音声復号部、又は前記映像復号部は、さらに前記音声制御情報記憶手段、又は前記映像制御情報記憶手段から読み出された前記制御情報によって復号範囲を限定することを特徴とする。
本発明の第３の態様は、第２の態様において、前記復号範囲は、フレーム間予測を行わないものに限定することを特徴とする。
本発明の第４の態様は、第１の態様において、前記音声復号部、又は前記映像復号部は、さらに前記制御情報の出現頻度によって前記制御情報をスキップ、又は特定の値に置き換えて復号することを特徴とする。
本発明の第５の態様は、第１の態様において、前記制御情報選択手段は、さらに制御情報を取得した時刻を取捨選択判定に関連付けることを特徴とする。
本発明の第６の態様は、受信したデジタル放送波から特定の番組の映像音声信号を復元するデジタル放送受信機であって、受信したデジタル放送波から特定の番組制御情報を抽出し、前記番組制御情報に基づいて圧縮音声信号と圧縮映像信号に分離する分離部と、前記分離部から出力された前記圧縮音声信号から音声制御情報を抽出し、前記音声制御情報に基づいて音声信号に復号する音声復号部と、前記分離部から出力された前記圧縮映像信号から映像制御情報を抽出し、前記映像制御情報に基づいて映像信号に復号する映像復号部と、前記番組制御情報を記憶する番組制御情報記憶手段と、前記音声制御情報を記憶する音声制御情報記憶手段と、前記映像制御情報を記憶する映像制御情報記憶手段と、前記番組制御情報記憶手段、又は前記音声制御情報記憶手段、又は前記映像制御情報記憶手段にて記憶する制御情報の取捨選択を外部から判定する制御情報選択手段と、電源投入時、又はチャンネル選択時、又はエラー発生時に前記番組制御情報記憶手段、又は前記音声制御情報記憶手段、又は前記映像制御情報記憶手段にて記憶した前記制御情報を読み出して前記分離部、又は前記音声復号部、又は前記映像復号部に設定する設定手段とを備えたことを特徴とする。
本発明の第７の態様は、第６の態様において、前記情報選択手段は、番組、又はチャンネルにて一定の値を持つ制御情報を優先して取得することを特徴とする。
本発明の第８の態様は、第６の態様において、前記情報選択手段は、ブロック単位にて値が設定される制御情報を優先して削除することを特徴とする。
【発明の効果】
【０００８】
この発明のデジタル放送受信機によれば、正常受信時に入手した情報を保存しておき、次回電源投入時、又はチャンネル選択時、又はエラー発生時に適切な情報を取捨選択して再利用することにより、映像音声出力開始にかかる時間が短縮される。
【図面の簡単な説明】
【０００９】
【図１】本発明の実施の形態１、２におけるデジタル放送受信機の構成を示すブロック図
【図２】デジタル放送受信機を動作させるための、一般的な手順を説明するフローチャート
【図３】本発明の実施の形態１におけるデジタル放送受信機の復号動作を説明するフローチャート
【図４】本発明の実施の形態１におけるデジタル放送受信機の制御情報選択部の動作を説明するフローチャート
【図５】本発明の実施の形態２におけるデジタル放送受信機の映像復号部の動作を説明する圧縮映像信号の模式図
【発明を実施するための形態】
【００１０】
以下、本発明の実施の形態におけるデジタル放送受信機について、図面を参照しながら説明する。
【００１１】
（実施の形態１）
実施の形態１におけるデジタル放送受信機の構成を、図１を用いて説明する。図１におけるデジタル放送受信機１は、アンテナ１０１、受信部１０２、分離部１０３、映像復号部１０４、音声復号部１０５、映像・音声出力部１０６、番組制御情報記憶部１０７、映像制御情報記憶部１０８、音声制御記憶部１０９、制御情報選択部１１０から構成されている。
アンテナ１０１は、空間の電波の一種であるデジタル放送波を受信し、受信部１０２に出力する。受信部１０２は、アンテナ１０１が出力した信号の周波数を変換し所定のバンド幅で選択的に増幅し、さらにその信号を復調してデータ列化したデジタル信号ＴＳ（Ｔｒａｎｓｐｏｒｔ  Ｓｔｒｅａｍ）を出力する。ＴＳは、番組情報、映像信号、音声信号、データ放送用データなど、複数のメディアがパケット多重された形式となっている。
分離部１０３は、受信部１０２によって復調されたＴＳから番組制御情報であるＰＡＴ（Ｐｒｏｇｒａｍ  Ａｓｓｏｃｉａｔｉｏｎ  Ｔａｂｌｅ）やＰＭＴ（Ｐｒｏｇｒａｍ  Ｍａｐ  Ｔａｂｌｅ）などを復号し、その情報を基に映像、音声などのメディア種別ごとにパケットを分離し、それぞれのメディアに該当する処理部への受け渡しを行う。
また、取得した番組制御情報を番組制御情報記憶部１０７に書き込む。電源投入時、又はチャンネル選択時、又はエラー発生時には番組制御情報記憶部１０７から番組制御情報を読み込み、初期設定値として使用する。
次に、映像復号部１０４は、分離部１０３から出力された映像パケットに格納されている圧縮映像信号を復号し映像信号を出力する。また、復号時に取得した映像制御情報を映像制御情報記憶部１０８に書き込む。電源投入時、又はチャンネル選択時、又はエラー発生時には映像制御情報記憶部１０８から映像制御情報を読み込み、初期設定値として使用する。
次に、音声復号部１０５は、分離部１０３から出力された音声パケットに格納されている圧縮音声信号を復号し音声信号を出力する。また、復号時に取得した音声制御情報を音声制御情報記憶部１０９に書き込む。電源投入時、又はチャンネル選択時、又はエラー発生時には音声制御情報記憶部１０９から音声制御情報を読み込み、初期設定値として使用する。
次に、映像・音声出力部１０６は、映像復号部１０４から出力された映像信号および音声復号部１０５から出力された音声信号をディスプレイおよびスピーカなどに出力する。
次に、番組制御情報記憶部１０７、又は映像制御情報記憶部１０８、又は音声制御情報記憶部１０９は、分離部１０３、又は映像復号部１０４、又は音声復号部１０５から出力される制御情報を格納する。電源投入時、又はチャンネル選択時、又はエラー発生時には分離部１０３、又は映像復号部１０４、又は音声復号部１０５に、番組制御情報記憶部１０７、又は映像制御情報記憶部１０８、又は音声制御情報記憶部１０９に格納された制御情報を受け渡す。
次に、制御情報選択部１１０は、番組制御情報記憶部１０７、又は映像制御情報記憶部１０８、又は音声制御情報記憶部１０９に蓄積された制御情報から適切なものを残し、適切でないものは削除する。
ここで、適切かどうかを判定するため、個々の制御情報について値の出現頻度を算出し、最も出現頻度が高いものを選定する。さらに、その出現頻度が外部から設定される閾値よりも高い場合、適切であると判定する。さらに、値の出現時刻を考慮し、出現時刻が現在の時刻に近いほどその値が適切であるよう重みを付けて算出してもよい。また、制御情報について優先的に取得するもの、又は削除するものを、あらかじめ外部から設定してもよい。
また、映像符号化方式Ｈ．２６４規格では、シーケンス全体に関する情報であるＳＰＳ（Ｓｅｑｕｅｎｃｅ  Ｐａｒａｍｅｔｅｒ  Ｓｅｔ）やピクチャ全体に関する情報であるＰＰＳ（Ｐｉｃｔｕｒｅ  Ｐａｒａｍｅｔｅｒ  Ｓｅｔ）が存在し、それぞれシーケンス、ピクチャ内では固定の値を持つ。これに対し動きベクトルはブロック単位にて値が設定される。例えば、値が変化しにくいＳＰＳ、ＰＰＳは優先的に取得し、値が変化しやすい動きベクトルは優先的に削除することで、制御情報選択が単純になる。さらに、動きベクトルは値を強制的にゼロにするなど、値の置き換えをしてもよい。
なお、便宜上、制御情報記憶部を、番組制御情報記憶部１０７、映像制御情報記憶部１０８、音声制御情報記憶部１０９と分けて記載しているが、１つの記憶部に統合した構成であっても構わない。
次に、本発明の動作を説明する前に、まず、デジタル放送受信機１を動作させるための、一般的な手順を図２に示すフローチャートを用いて説明する。
まず、アンテナ１０１は、デジタル放送波を受信し、受信部１０２は、アンテナ１０１が出力した信号の周波数を変換し所定のバンド幅で選択的に増幅し、さらにその信号を復調してデータ列化したデジタル信号ＴＳを出力する（ステップＳ２０１）。分離部１０３は、受信部１０２によって復調されたＴＳから番組制御情報であるＰＡＴやＰＭＴなどを復号する（ステップＳ２０２）。
次に、分離部１０３は、復号した番組制御情報を番組制御情報記憶部１０７に書き込む（ステップＳ２０３）。分離部１０３は、番組制御情報を基に映像、音声などのメディア種別ごとにパケットを分離し、それぞれのメディアに該当する処理部への受け渡しを行う（ステップＳ２０４）。このとき、映像パケットならば映像復号部１０４へ、音声パケットならば音声復号部１０５へ出力する（ステップＳ２０５）。
次に、映像復号部１０４は、分離部１０３から出力された映像パケットに格納されている圧縮映像信号を復号する（ステップＳ２０６）。映像復号部１０４は、復号した映像制御情報を映像制御情報記憶部１０８に書き込む（ステップＳ２０７）。
ここで、復号の結果、映像を出力できる状態であるか判定する（ステップＳ２０８）。Ｈ．２６４規格におけるＳＰＳ、ＰＰＳの情報がなければピクチャの復号ができず、出力もできない。また、フレーム間予測を必要とするＰピクチャ、Ｂピクチャは、参照ピクチャの情報がなければ当該ピクチャの復号ができず、出力もできない。出力できないと判定された場合、出力できるだけの情報が得られるまで、さらに映像パケットを取得、復号を繰り返す。
次に、音声復号部１０５は、分離部１０３から出力された音声パケットに格納されている圧縮音声信号を復号する（ステップＳ２０９）。音声復号部１０４は、復号した音声制御情報を音声制御情報記憶部１０９に書き込む（ステップＳ２１０）。
ここで、復号の結果、音声を出力できる状態であるか判定する（ステップＳ２１１）。チャンネル数やサンプリング周波数の情報がなければフレームの復号ができず、出力もできない。出力できないと判定された場合、出力できるだけの情報が得られるまで、さらに音声パケットを取得、復号を繰り返す。
次に、映像・音声出力部１０６は、映像復号部１０４から出力された映像信号および音声復号部１０５から出力された音声信号をディスプレイおよびスピーカなどに出力する（ステップＳ２１２）。
このように、デジタル放送では、分離部１０３、映像復号部１０４、音声復号部１０５の各機能ブロックを放送内容に合わせて動作させるようにするために、必要な情報はすべてその機能ブロックが受信するデータに含まれて受信する仕組みとなっている。すなわち、基本的には前段の機能ブロックから正しいデータが到達するまでは初期化が行えず、しかも前段の処理には解析動作が含まれているために、映像音声出力にはある程度の長い時間がかかってしまう。
【００１２】
さらに、近年の映像・音声符号化方式は圧縮率を高めるために、複数フレームにまたがって固定の値を持つような情報を集め、それらの情報はフレームごとには付与せず、一定期間に一度だけ挿入する方式を採用している。例えば、Ｈ．２６４規格のＳＰＳは、情報をどの程度の頻度で挿入するかは運用次第である。ＳＰＳの情報がなければ映像の復号ができないため出力に要する時間が長くなる傾向にある。
しかし、ＳＰＳはシーケンス内で固定の値であるため、番組やチャンネルで値が変化する可能性が低い。その結果、情報そのものの取りえる値は複数存在するが、実際の放送によって運用される値は限定されている。
【００１３】
したがって、上述した図２に示した従来の手順を図３のフローチャートのように改めることにより、映像音声出力開始時間を短縮する。
まず、制御情報選択部１１０は、制御情報の出現頻度を算出するなどの処理により初期化に適切な制御情報を取捨選択し、番組制御情報記憶部１０７、又は映像制御情報記憶部１０８、又は音声制御情報記憶部１０９に書き込む（ステップＳ３０１）。
ここで、ステップＳ３０１の詳細手順を図４に示すフローチャートを用いて説明する。
制御情報選択部１１０は、番組制御情報記憶部１０７、又は映像制御情報記憶部１０８、又は音声制御情報記憶部１０９に蓄積された制御情報から適切なものを残し、適切でないものは削除する。
ここで、適切かどうかを判定するため、個々の制御情報について値の出現頻度を算出し、最も出現頻度が高いものを選定する（ステップＳ４０１）。さらに、その出現頻度が外部から設定される閾値よりも高い場合、適切であると判定する（ステップＳ４０２）。
次に、適切であると判定されたものは番組制御情報記憶部１０７、又は映像制御情報記憶部１０８、又は音声制御情報記憶部１０９に書き込み、初期化設定値として用いられる（ステップＳ４０３）。
ここで、適切でないと判定されたものは番組制御情報記憶部１０７、又は映像制御情報記憶部１０８、又は音声制御情報記憶部１０９から削除される（ステップＳ４０４）。
次に、アンテナ１０１は、デジタル放送波を受信し、受信部１０２は、アンテナ１０１が出力した信号の周波数を変換し所定のバンド幅で選択的に増幅し、さらにその信号を復調してデータ列化したデジタル信号ＴＳを出力する（ステップＳ２０１）。
次に、分離部１０３は、番組制御情報記憶部１０７から番組制御情報を読み込む（ステップＳ３０２）。分離部１０３は、番組制御情報を基に映像、音声などのメディア種別ごとにパケットを分離し、それぞれのメディアに該当する処理部への受け渡しを行う（ステップＳ２０４）。
このとき、映像パケットならば映像復号部１０４へ、音声パケットならば音声復号部１０５へ出力する（ステップＳ２０５）。映像復号部１０４は、映像制御情報記憶部１０８から映像制御情報を読み込む（ステップＳ３０３）。
次に、映像復号部１０４は、分離部１０３から出力された映像パケットに格納されている圧縮映像信号を復号する（ステップＳ２０６）。映像復号部１０４は、復号した映像制御情報を映像制御情報記憶部１０８に書き込む（ステップＳ２０７）。
一方、音声復号部１０５は、音声制御情報記憶部１０９から音声制御情報を読み込む（ステップＳ３０４）。音声復号部１０５は、分離部１０３から出力された音声パケットに格納されている圧縮音声信号を復号する（ステップＳ２０９）。音声復号部１０４は、復号した音声制御情報を音声制御情報記憶部１０９に書き込む（ステップＳ２１０）。
次に、映像・音声出力部１０６は、映像復号部１０４から出力された映像信号および音声復号部１０５から出力された音声信号をディスプレイおよびスピーカなどに出力する（ステップＳ２１２）。
【００１４】
各機能ブロック（分離部、映像復号部、音声復号部）への初期化処理により、図２における一般的な処理手順と異なり、Ｓ２０８、Ｓ２１１でＮＧとなる場合のループがなくなる。このように、図３のフローチャートに示した手法により、一連の手順において前回正常受信時に記憶した制御情報から適切なものを選択し、次回の初期化時に読み込み各機能ブロックの初期化処理を先行実施することにより、図２の一般的な処理のようにシーケンシャルに初期化を行う方法と比較して、映像音声出力開始時間を短縮できる利点がある。
【００１５】
（実施の形態２）
実施の形態２におけるデジタル放送受信機の構成は、実施の形態１で説明に使用した図１と同じなので省略する。
【００１６】
実施の形態２では、実施の形態１とは映像復号部１０４又は音声復号部１０５の動作が異なる。実施の形態２では、映像復号部１０４又は音声復号部１０５は、映像制御情報記憶部１０８又は音声制御情報記憶部１０９から読み込んだ制御情報により復号範囲を限定する。
実施の形態２実施におけるデジタル放送受信機の映像復号部の動作を、図５を用いて説明する。図５は、Ｈ．２６４規格における圧縮映像信号の復号順と表示順の関係の一例を示す模式図である。
図中の上方は、圧縮映像信号を復号順に並べたものであり、下方は、各ピクチャを表示順に並べたものである。表示順は各ピクチャの属性として符号化されている。例えば、図中のＰピクチャＰ１は、後から復号化されるＢピクチャＢ２およびＢ３の後に表示される。また、ＳＰＳおよびＰＰＳは画素情報を持たないため表示されない。
ＰピクチャＰ１においてエラーが発生した場合、映像を復帰させるため映像復号部１０４は映像制御情報記憶部１０８から映像制御情報を読み込む。映像復号部１０４は、読み込んだ制御情報に、参照ピクチャ情報や動きベクトル情報など、フレーム間予測を行うピクチャを復号するための情報が存在するか確認する。
ここで、フレーム間予測を行うのに十分な情報が揃っていると判定した場合、エラーが発生したピクチャの直後のピクチャであるＢピクチャＢ１を復号する。一方、フレーム間予測を行うのに十分な情報が揃っていないと判定した場合、フレーム間予測を行わないピクチャに復号範囲を限定する。結果、ＢピクチャＢ２およびＢ３をスキップし、ＩピクチャＩ４から復号する。
また、読み込んだ制御情報に、フレーム内予測を行うピクチャを復号するための情報も存在しないと判定した場合、ピクチャをすべてスキップし、次のＳＰＳから復号する。
このように動作することにより、誤った情報で復号する可能性を低くし、正しい情報で復号したうえで映像音声出力時間を短縮することができる。
【産業上の利用可能性】
【００１７】
この発明によれば、正常受信時に入手した情報を保存しておき、次回電源投入時、又はチャンネル選択時、又はエラー発生時に適切な情報を取捨選択して再利用することにより、映像音声出力開始にかかる時間が短縮される。結果として、ユーザのストレスを軽減し、製品の付加価値を高めることができる。
【符号の説明】
【００１８】
１    デジタル放送受信機
１０１    アンテナ
１０２    受信部
１０３    分離部
１０４    映像復号部
１０５    音声復号部
１０６    映像・音声出力部
１０７    番組制御情報記憶部
１０８    映像制御情報記憶部
１０９    音声制御情報記憶部
１１０    番組制御情報選択部
【図１】
2011049627.tif 000003
【図２】
2011049627.tif 000004
【図３】
2011049627.tif 000005
【図４】
2011049627.tif 000006
【図５】
2011049627.tif 000007